(57)【要約】【課題】  ユーザの座りまたは歩行に影響を及ぼすこともなく、これにより、膝蓋骨が不適切な押圧を受けて良好でないマッサージ効果が生じることを回避する。【解決手段】  本発明は、硬質筐体のケーシングであって、ユーザの膝蓋骨に合わせた着用溝が設けられており、着用溝の開口部が膝蓋骨の周辺に当接するケーシングを含む制御機構と、ケーシングに接続され、ケーシングとともにユーザの膝領域に巻いて固定しユーザの膝蓋骨を着用溝内に収容させ、対応する膝領域にマッサージエアバッグが設けられている固定機構と、を含むマッサージ器を提供する。硬質筐体のケーシングの着用溝の開口部が膝蓋骨の周辺に当接することにより、マッサージエアバッグが膨らむと、固定機構は必然的にケーシングの両端に引張力を加え、この引張力が膝蓋骨の周辺領域に伝わり、ケーシングが膝蓋骨を直接押圧しない。【選択図】図１
2020192321.tif 000002
【特許請求の範囲】
【請求項１】
硬質筐体のケーシングであって、ユーザの膝蓋骨に合わせた着用溝が設けられており、着用溝の開口部が前記膝蓋骨の周辺に当接するケーシングを含む制御機構と、
前記ケーシングに接続され、前記ケーシングとともにユーザの膝領域に巻いて固定しユーザの膝蓋骨を前記着用溝内に収容させ、対応する膝領域にマッサージエアバッグが設けられている固定機構と、を含むことを特徴とする、マッサージ器。
【請求項２】
前記固定機構が柔軟な帯状構造であり、前記ケーシングの両端に、前記固定機構と接続する接続部が設けられていることを特徴とする、請求項１に記載のマッサージ器。
【請求項３】
前記ケーシングに接続されたコントローラーと、前記コントローラーに電気的に接続され前記コントローラーにコマンドを伝送するために用いられる制御ボタンと、をさらに含み、前記コントローラーは、前記マッサージエアバッグの空気充填または空気放出を制御するために用いられることを特徴とする、請求項１に記載のマッサージ器。
【請求項４】
柔軟性材料製で、脚の周囲に巻かれ脚のマッサージに利用可能な脚エアバッグ構造と、前記脚エアバッグ構造が脚をマッサージするように、前記脚エアバッグ構造に接続され前記脚エアバッグ構造に対して空気充填または空気放出を行う脚空気充填放出部材と、を含む脚マッサージ機構をさらに含むことを特徴とする、請求項１に記載のマッサージ器。
【請求項５】
前記脚エアバッグ構造は、脚マッサージチャンバーを有し、前記脚マッサージチャンバーは、前記脚空気充填放出部材と連通した脚流路チャンバーと、前記脚流路チャンバーと連通し脚の周囲に巻かれる脚外層チャンバーと、を含み、前記脚エアバッグ構造は、前記脚空気充填放出部材に接続されその内側に前記脚流路チャンバーを有する脚導流シートと、前記脚導流シートに接続され脚の周囲に巻かれその内側に前記脚外層チャンバーを有する脚外層シートと、を含み、前記脚空気充填放出部材は、前記脚流路チャンバーに空気を充填可能であり、前記脚流路チャンバーに入った空気は前記脚外層チャンバーにも入り得ることを特徴とする、請求項４に記載のマッサージ器。
【請求項６】
前記脚マッサージチャンバーは、前記脚外層チャンバーと連通し前記脚外層チャンバーと脚との間に位置する脚内層チャンバーをさらに含み、前記脚空気充填放出部材は、前記脚流路チャンバーに空気が充填可能であり、前記脚流路チャンバーに入った空気は前記脚外層チャンバー経由で前記脚内層チャンバーにも入り得て、
前記脚エアバッグ構造は、前記脚外層シートの内側に設けられかつ前記脚外層シートと間隔をあけて設けられた脚内層シートと、前記脚外層シートおよび前記脚内層シートを接続するための脚接続部材と、をさらに含み、前記脚外層シートの内側に前記脚外層チャンバーまで連通した脚外層通し穴が設けられ、前記脚内層シートは、その内側に前記脚内層チャンバーを有し、かつその外側に前記脚内層チャンバーまで連通した脚内層通し穴が設けられ、前記脚接続部材は、前記脚内層通し穴と前記脚外層通し穴とを連通するために用いられることを特徴とする、請求項５に記載のマッサージ器。
【請求項７】
前記脚内層シートは、複数設けられかつ脚の周り方向に配置され、前記脚内層シートは、平行四辺形を呈する四辺形部を含み、隣接する２つの前記四辺形部が軸対称に設けられていることを特徴とする、請求項６に記載のマッサージ器。
【請求項８】
前記脚内層通し穴の位置が、前記脚内層シートの中心点位置からずれていることを特徴とする、請求項６に記載のマッサージ器。
【請求項９】
前記脚マッサージチャンバーは、前記脚内層チャンバーと連通し前記脚外層チャンバーと脚との間に位置する突起チャンバーをさらに有し、前記脚内層シートは、前記四辺形部の辺側に接続し前記突起チャンバーを有する突起部をさらに含み、前記脚内層通し穴は、前記突起部に位置することを特徴とする、請求項６に記載のマッサージ器。
【請求項１０】
前記固定機構は、柔軟性材料製の膝窩エアバッグ構造と、前記膝窩エアバッグ構造に接続し前記膝窩エアバッグ構造に対して空気充填または空気放出を行うための膝窩空気充填放出部材と、を含むことを特徴とする、請求項１に記載のマッサージ器。
【請求項１１】
前記膝窩エアバッグ構造は、密着チャンバーを有し、前記密着チャンバーは、前記膝窩空気充填放出部材と連通した膝窩流路チャンバーと、前記膝窩流路チャンバーと連通した膝窩外層チャンバーと、を含み、前記膝窩エアバッグ構造は、前記膝窩空気充填放出部材に接続されその内側に前記膝窩流路チャンバーを有する膝窩導流シートと、前記膝窩導流シートに接続され前記膝窩の箇所に位置しその内側に前記膝窩外層チャンバーを有する膝窩外層シートと、を含むことを特徴とする、請求項１０に記載のマッサージ器。
【請求項１２】
前記密着チャンバーは、前記膝窩外層チャンバーと連通し前記膝窩外層チャンバーと膝窩との間に位置する膝窩内層チャンバーと、前記膝窩内層チャンバーと連通し前記膝窩内層チャンバーと膝窩との間に位置する膝窩マッサージチャンバーと、をさらに含み、前記膝窩空気充填放出部材は、前記膝窩流路チャンバーに空気を充填可能であり、前記膝窩流路チャンバーに入った空気は、前記膝窩外層チャンバー経由で前記膝窩内層チャンバーに入り、さらに前記膝窩マッサージチャンバーに入り得て、
前記膝窩エアバッグ構造は、前記膝窩外層シートの内側に設けられかつ前記膝窩外層シートと間隔をあけて設けられた膝窩内層シートと、前記膝窩外層シートおよび前記膝窩内層シートを接続するための膝窩接続部材と、前記膝窩内層シートの内側に設けられかつ前記膝窩内層シートと間隔をあけて設けられた膝窩マッサージシートと、前記膝窩外層シートおよび前記膝窩内層シートを接続するためのマッサージ接続部材と、をさらに含み、前記膝窩外層シートの内側に前記膝窩外層チャンバーまで連通した膝窩外層通し穴が設けられ、前記膝窩内層シートは、その内側に前記膝窩内層チャンバーを有し、前記膝窩内層シートの外側に前記膝窩内層チャンバーまで連通した第１の膝窩内層通し穴が設けられ、かつその内側に前記膝窩マッサージチャンバーまで連通した第２の膝窩内層通し穴が設けられ、前記膝窩マッサージシートは、その内側に前記膝窩マッサージチャンバーを有し、かつその外側に膝窩マッサージ通し穴が設けられ、前記膝窩接続部材は、前記第１の膝窩内層通し穴と前記膝窩外層通し穴とを連通するために用いられ、前記マッサージ接続部材は、前記第２の膝窩内層通し穴と前記膝窩マッサージ通し穴とを連通するために用いられることを特徴とする、請求項１１に記載のマッサージ器。
【請求項１３】
前記制御機構は、膝蓋骨に対して理学療法を行うための理学療法シートをさらに含み、前記理学療法シートは、前記着用溝内に固定され膝蓋骨に接触することを特徴とする、請求項１に記載のマッサージ器。
【発明の詳細な説明】
【技術分野】
【０００１】
本発明は、健康用品の技術分野に属し、特にマッサージ器に関する。
【背景技術】
【０００２】
暮らしや仕事のテンポが速くなるのに伴い、都市での暮らしは、人々に高品質な暮らしをもたらすと同時に、身体的な病気も徐々に増加しており、ヨガなどで健康管理を行う人が増えている。
【０００３】
日常的な運動において、脚は疲れやすく、損傷を受けやすく、脚のマッサージを常に行う必要があるが、従来の脚マッサージ用のマッサージ器の制御部材は、手に持って操作をする必要があり、非常に不便であった。
【発明の概要】
【発明が解決しようとする課題】
【０００４】
本発明の目的は、マッサージ器を提供し、先行技術におけるマッサージ器の制御部材が手に持って操作をする必要があり、非常に不便であるという技術的課題を解決することである。
【課題を解決するための手段】
【０００５】
本発明は、次のようにして実現される。
硬質筐体のケーシングであって、ユーザの膝蓋骨に合わせた着用溝が設けられており、着用溝の開口部が前記膝蓋骨の周辺に当接するケーシングを含む制御機構と、
前記ケーシングに接続され、前記ケーシングとともにユーザの膝領域に巻いて固定し、ユーザの膝蓋骨を前記着用溝内に収容させる固定機構であって、対応する膝領域にマッサージエアバッグが設けられている固定機構と、を含むマッサージ器である。
【０００６】
さらに、前記固定機構が柔軟な帯状構造であり、前記ケーシングの両端に、前記固定機構と接続する接続部が設けられている。
【０００７】
さらに、前記マッサージ器は、前記ケーシングに接続されたコントローラーと、前記コントローラーに電気的に接続され前記コントローラーにコマンドを伝送するために用いられる制御ボタンと、をさらに含み、前記コントローラーは、前記マッサージエアバッグの空気充填または空気放出を制御するために用いられる。
【０００８】
さらに、前記マッサージ器は、柔軟性材料製で、脚の周囲に巻かれ脚のマッサージに利用可能な脚エアバッグ構造と、前記脚エアバッグ構造が脚をマッサージするように、前記脚エアバッグ構造に接続され前記脚エアバッグ構造に対して空気充填または空気放出を行う脚空気充填放出部材と、を含む脚マッサージ機構をさらに含む。
【０００９】
さらに、前記脚エアバッグ構造は、脚マッサージチャンバーを有し、前記脚マッサージチャンバーは、前記脚空気充填放出部材と連通した脚流路チャンバーと、前記脚流路チャンバーと連通し脚の周囲に巻かれる脚外層チャンバーと、を含み、前記脚エアバッグ構造は、前記脚空気充填放出部材に接続され前記脚流路チャンバーを有する脚導流シートと、前記脚導流シートに接続され脚の周囲に巻かれ前記脚外層チャンバーを有する脚外層シートと、を含み、前記脚空気充填放出部材は、前記脚流路チャンバーに空気を充填可能であり、前記脚流路チャンバーに入った空気は前記脚外層チャンバーに入れ得る。
【００１０】
さらに、前記脚マッサージチャンバーは、前記脚外層チャンバーと連通し前記脚外層チャンバーと脚との間に位置する脚内層チャンバーをさらに含み、前記脚空気充填放出部材は、前記脚流路チャンバーに空気が充填可能であり、前記脚流路チャンバーに入った空気は前記脚外層チャンバー経由で前記脚内層チャンバーに入れ得ることができる。
【００１１】
前記脚エアバッグ構造は、前記脚外層シートの内側に設けられかつ前記脚外層シートと間隔をあけて設けられた脚内層シートと、前記脚外層シートおよび前記脚内層シートを接続するための脚接続部材と、をさらに含み、前記脚外層シートの内側に前記脚外層チャンバーまで連通した脚外層通し穴が設けられ、前記脚内層シートは、その内側に前記脚内層チャンバーを有し、かつその外側に前記脚内層チャンバーまで連通した脚内層通し穴が設けられ、前記脚接続部材は、前記脚内層通し穴と前記脚外層通し穴とを連通するために用いられる。
【００１２】
さらに、前記脚内層シートは、複数設けられかつ脚の周り方向に配置され、前記脚内層シートは、平行四辺形を呈する四辺形部を含み、隣接する２つの前記四辺形部が軸対称に設けられている。
【００１３】
さらに、前記脚内層通し穴の位置が、前記脚内層シートの中心点位置からずれている。
【００１４】
さらに、前記脚マッサージチャンバーは、前記脚内層チャンバーと連通し前記脚外層チャンバーと脚との間に位置する突起チャンバーをさらに有し、前記脚内層シートは、前記四辺形部の辺側に接続し前記突起チャンバーを有する突起部をさらに含み、前記脚内層通し穴は、前記突起部に位置する。
【００１５】
さらに、前記固定機構は、柔軟性材料製の膝窩エアバッグ構造と、前記膝窩エアバッグ構造に接続し前記膝窩エアバッグ構造に対して空気充填または空気放出を行うための膝窩空気充填放出部材と、を含む。
【００１６】
さらに、前記膝窩エアバッグ構造は、密着チャンバーを有し、前記密着チャンバーは、前記膝窩空気充填放出部材と連通した膝窩流路チャンバーと、前記膝窩流路チャンバーと連通した膝窩外層チャンバーと、を含み、前記膝窩エアバッグ構造は、前記膝窩空気充填放出部材に接続されその内側に前記膝窩流路チャンバーを有する膝窩導流シートと、前記膝窩導流シートに接続され前記膝窩の箇所に位置し前記膝窩外層チャンバーを有する膝窩外層シートと、を含む。
【００１７】
さらに、前記密着チャンバーは、前記膝窩外層チャンバーと連通し前記膝窩外層チャンバーと膝窩との間に位置する膝窩内層チャンバーと、前記膝窩内層チャンバーと連通し前記膝窩内層チャンバーと膝窩との間に位置する膝窩マッサージチャンバーと、をさらに含み、前記膝窩空気充填放出部材は、前記膝窩流路チャンバーに空気を充填可能であり、前記膝窩流路チャンバーに入った空気は前記膝窩外層チャンバー経由で前記膝窩内層チャンバーに入り、前記膝窩マッサージチャンバーにも入り得る。
【００１８】
前記膝窩エアバッグ構造は、前記膝窩外層シートの内側に設けられかつ前記膝窩外層シートと間隔をあけて設けられた膝窩内層シートと、前記膝窩外層シートおよび前記膝窩内層シートを接続するための膝窩接続部材と、前記膝窩内層シートの内側に設けられかつ前記膝窩内層シートと間隔をあけて設けられた膝窩マッサージシートと、前記膝窩外層シートおよび前記膝窩内層シートを接続するためのマッサージ接続部材と、をさらに含み、前記膝窩外層シートの内側に前記膝窩外層チャンバーまで連通した膝窩外層通し穴が設けられ、前記膝窩内層シートは、その内側に前記膝窩内層チャンバーを有し、前記膝窩内層シートの外側に前記膝窩内層チャンバーまで連通した第１の膝窩内層通し穴が設けられ、かつその内側に前記膝窩マッサージチャンバーまで連通した第２の膝窩内層通し穴が設けられ、前記膝窩マッサージシートは、その内側に前記膝窩マッサージチャンバーを有し、かつその外側に膝窩マッサージ通し穴が設けられ、前記膝窩接続部材は、前記第１の膝窩内層通し穴と前記膝窩外層通し穴とを連通するために用いられ、前記マッサージ接続部材は、前記第２の膝窩内層通し穴と前記膝窩マッサージ通し穴とを連通するために用いられる。
【００１９】
さらに、前記制御機構は、前記コントローラーに電気的に接続され膝関節に対して理学療法を行うための理学療法シートをさらに含み、理学療法シートは前記着用溝内に固定され膝蓋骨に接触する。前記コントローラーは、前記理学療法シートのオン／オフを制御することができる。
【発明の効果】
【００２０】
先行技術に対する本発明の技術的効果は次のとおりである。本発明によれば、着用溝を有するケーシングを設けることにより、制御機構は膝蓋骨の箇所を嵌め、固定機構によって膝領域に固定することができる。ユーザが本マッサージ器を着用すると、ユーザの膝蓋骨がこの着用溝内に完全に収容され、ケーシング着用溝の開口部が膝蓋骨の周辺領域に当接することにより、ケーシング着用溝の開口部が膝蓋骨に当接することを回避する。膝蓋骨は、膝領域において上下左右に自由に移動可能な骨である。動作時に、ケーシングと固定機構をユーザの膝周囲に巻いて固定するため、マッサージエアバッグを膨らませると、固定機構は、必然的にケーシングの両端に引張力を加える。硬質筐体であるケーシングの着用溝の開口部が膝蓋骨の周辺に当接することにより、ケーシングが固定機構の引張力を受けると、この引張力が膝蓋骨の周辺領域に伝わり、ケーシングが膝蓋骨を直接押圧しない。このようにして、ユーザの座りまたは歩行に影響を及ぼすことなく、膝蓋骨が不適切な押圧を受けて悪いマッサージ効果が生じることを回避することができる。
【図面の簡単な説明】
【００２１】
本発明の実施例の技術手法をより明晰に説明するために、次に本発明の実施例または先行技術についての説明において、必要な図面について簡単に紹介する。次に説明する図面は、本発明の実施例の一部に過ぎず、当業者にとって、創造的な労働を行わない前提で、これらの図面に基づきその他の図面をさらに得られることは自明である。
【００２２】
【図１】本発明の実施例が提供するマッサージ器の立体構造模式図
【図２】本発明の実施例が提供する脚マッサージ機構の平面図
【図３】本発明の実施例が提供する脚マッサージ機構の底面図
【図４】本発明の実施例が提供する脚マッサージ機構の側面図
【図５】本発明の実施例が提供する固定機構の平面図
【図６】本発明の実施例が提供する固定機構の側面図
【発明を実施するための形態】
【００２３】
以下、本発明の実施例について詳細に説明する。前記実施例の例示は、図面において示し、始めから終わりまで同一または類似の記号で同一もしくは類似の要素または同一もしくは類似の機能を有する要素を表す。以下、図面を参照して説明する実施例は、例示的なものであり、本発明についての説明に用いられることを目的としており、本発明に対する制限として理解されるべきではない。
【００２４】
なお、本発明の説明において、「長さ」、「幅」、「内」、「外」などの用語が示す方向または位置関係は、図面で示す方向または位置関係に基づくものであり、本発明の説明の便宜上、説明を簡略化するためのものに過ぎず、それに係る装置または要素が特定の方向を有することや、特定の方向による構造および操作を有することを必要とするのを表すまたは暗示するものでもないため、本発明に対する制限として理解されるべきではない。
【００２５】
また、「第１」、「第２」などの用語は、説明の目的のみに用いられ、相対的な重要性を表すもしくは暗示するもの、または表す技術的特徴の数を暗示もしくは明示するものとして理解されるべきではない。そのため、「第１」、「第２」などによって限定された特徴は、１つまたは複数のこの特徴を明示的または暗示的に含んでもよい。本発明の説明において、「複数」という用語の意味は、別段の明確で具体的な限定がある場合を除き、２つ以上である。
【００２６】
本発明において、別段の明確な規定および限定がある場合を除き、「装着」、「つなぐ」、「接続」、「固定」などの用語は、広義に理解すべきであり、例えば、固定接続であってもよく、着脱可能な接続であってもよく、一体化してもよく、機械的な接続であってもよく、電気的な接続であってもよく、直接つないでもよく、中間的な媒体を介して間接的につないでもよく、２つの要素内部の連通であってもよく、２つの要素の相互作用関係であってもよい。当業者は、具体的な状況に応じて上記用語の本発明における具体的な意味を理解することができる。
【００２７】
本発明の目的、技術手法および長所をより明確にするため、以下、図面および実施例を合わせて、本発明についてさらに詳細に説明する。
【００２８】
図１を参照し、本発明は、脚マッサージを行うための脚マッサージ機構１０と、脚マッサージ器を制御するための制御機構２０と、制御機構２０を膝領域に固定するための固定機構３０と、を含むマッサージ器を提供する。
【００２９】
制御機構２０は、一方の側が開口した椀状の硬質筐体であるケーシングを含み、ケーシングには、ユーザの膝蓋骨に合わせた着用溝２０１が設けられ、着用溝２０１の開口部が膝蓋骨の周辺に当接する。着用溝２０１の形状および大きさは、ヒトが立って歩行することに影響を及ぼさず、脚の皮膚及び筋肉をこすらないことを基準とする。
【００３０】
固定機構３０は、制御機構２０のケーシングに接続され、ケーシングとともにユーザの膝領域に巻いて固定し、ユーザの膝蓋骨を着用溝２０１内に収容する。固定機構３０の対応する膝領域にマッサージエアバッグが設けられている。マッサージエアバッグは、膨らむことが可能なエアバッグチャンバーを有する。エアバッグチャンバーは、膨らんだ状態を保つことができ、着用状態において固定機構３０がケーシングの両側を引っ張り、固定機構３０と膝領域とがよりフィットするようにする。好ましくは、固定機構３０は、柔軟な帯状構造であり、ケーシングの両端に、固定機構３０と接続する接続部が設けられている。固定機構３０は、接続部との接続によって、ケーシングの膝領域に対する貼り合わせの緩みを調整する。固定機構３０の柔軟な帯状構造は、ユーザの着用感をより快適なものとするとともに、収納しやすい。
【００３１】
本発明は、着用溝２０１を有するケーシングを設けることにより、制御機構２０が膝蓋骨の箇所を嵌め、固定機構３０によって膝領域に固定することができる。ユーザが本マッサージ器を着用すると、ユーザの膝蓋骨がこの着用溝２０１内に完全に収容され、ケーシング着用溝２０１の開口部がこの膝蓋骨の周辺領域に当接することにより、ケーシング着用溝２０１の開口部が膝蓋骨に当接して、膝蓋骨に対して押圧が生じることを回避する。膝蓋骨は、膝領域において上下左右に自由に移動可能な骨である。動作時に、ケーシングと固定機構３０をユーザの膝周囲に巻いて固定するため、マッサージエアバッグを膨らませると、固定機構３０は、必然的にケーシングの両端に引張力を加える。硬質筐体であるケーシングの着用溝２０１の開口部が膝蓋骨の周辺に当接することにより、ケーシングが固定機構３０の引張力を受けると、この引張力が膝蓋骨の周辺領域に伝わり、ケーシングが膝蓋骨を直接押圧しない。ユーザの着座または歩行に影響を及ぼすこともなく、これにより、膝蓋骨が不適切な押圧を受けて良好でないマッサージ効果が生じることを回避する。
【００３２】
本実施例において、ケーシングが硬質筐体であるというのは、ケーシングの着用溝２０１の開口部に位置する部分が剛性硬質材料製であることをいい、このケーシングの他の部分は、着用溝２０１の開口部が固定機構３０の引張力に耐えられて変形しなければ、他の材料を用いてもよいと理解すべきである。
【００３３】
固定機構３０には、膝窩エアバッグ構造を設ける以外に、膝の両側または他の位置にマッサージエアバッグをさらに設けてもよいと理解すべきである。必要に応じて、固定機構３０に膝窩エアバッグ構造を設けずに、対応する膝の他の位置にマッサージエアバッグを設けてもよい。
【００３４】
図２から図４を参照し、脚マッサージ機構１０は、柔軟性材料製で、脚の周囲に巻かれ脚のマッサージに利用可能な脚エアバッグ構造と、脚エアバッグ構造が脚をマッサージするように、脚エアバッグ構造に接続されて脚エアバッグ構造に対して空気充填または空気放出を行う脚空気充填放出部材と、を含む。脚エアバッグ構造に対する空気充填および空気放出は、ヒトの指で押す動作を倣うために用いられ、マッサージされるユーザの筋肉にかかるストレスを緩め、筋肉の疲れをとるのに有利である。脚空気充填放出部材は、空気ポンプなどの給気装置であってもよく、空気ポンプには、バルブが設けられており、脚エアバッグ構造には、バルブと接続するための脚空気弁１２が設けられている。脚エアバッグ構造は、柔軟性材料製であるため、脚空気充填放出部材が脚空気弁１２を介して脚エアバッグ構造に空気を充填すると、脚エアバッグ構造が膨らみ、脚に対して押圧力を生じることにより、マッサージ効果が得られる。
【００３５】
図１を参照し、制御機構２０は、ケーシングに接続されたコントローラー（図示せず）と、コントローラーに電気的に接続され膝領域に対して理学療法を行うための理学療法シート（図示せず）と、コントローラーに電気的に接続されコントローラーにコマンドを伝送するための制御ボタン２１と、をさらに含む。コントローラーは、脚空気充填放出部材に電気的に接続され、脚空気充填放出部材の脚エアバッグ構造への空気充填または空気放出を制御するために用いられる。コントローラーは、理学療法シートを制御して膝領域に対する理学療法を行うことができ、理学療法シートは、膝蓋骨の損傷を和らげるため、少なくとも発熱機能を有する。コントローラーは、ケーシング内部に位置し、制御ボタン２１は、押しボタンであってもタッチボタンであってもよい。ユーザは、制御ボタン２１を操作することにより、コントローラーにコマンドを伝送することができ、これにより、脚マッサージ機構１０の脚へのマッサージおよび理学療法シートのオン／オフを実現する。具体的には、コントローラーは、回路基板、リチウム電池などの電子部品を含み、理学療法シートは、接続ケーブルを介して回路基板につながれている。
【００３６】
図１を参照し、固定機構３０は、バンド状として膝領域に巻いても、クランプ状をしていて膝窩の箇所にとめられてもよく、ヒトの歩行時に伸ばしやすいように弾性材質製であってもよい。膝領域というのは、膝関節の膝蓋骨およびその裏側の膝窩を取り巻く周方向領域をいう。ケーシングは、固定機構３０に接続され、ケーシングには、バンド状の固定機構３０を巻いて固定し緩みを速やかに調整できるよう、貫通孔を設けてもよい。具体的には、着用溝２０１の内壁には、異なる大きさおよび形状の膝蓋骨に適応できるよう、プラスチックシートまたはシリコーンシートが設けられてもよい。固定機構３０は、膝窩エアバッグ構造と、シリコーンシートまたはプラスチックシートを包む布カバーとをさらに含んでもよく、このような布カバーによって、プラスチックシートまたはシリコーンシートをしっかりとケーシングに接続することができる。
【００３７】
脚マッサージ機構１０は、ヒトの太腿に着用しても、ヒトの脛に着用してもよい。固定機構３０は、膝蓋骨の箇所に順方向にとめても、逆方向にとめても、着用溝２０１を膝蓋骨にフィットさせることができ、脚マッサージ機構１０の位置に応じて回転させることができる。好ましくは、異なる大きさおよび形状の膝関節に合わせて着用できるよう、着用溝２０１の内壁にシリコーンシートが設けられている。
【００３８】
本発明の制御機構２０は、脚空気充填放出部材の脚エアバッグ構造への空気充填または空気放出を制御し、脚に対するマッサージを実現することができる。本発明は、制御機構２０と脚との適合した接続を実現し、ユーザが手で持って操作する不便さを回避し、両手を塞がず、ユーザは、脚マッサージ機構１０で脚をマッサージしていると同時に、立ち上げて歩いたり、座ったまま静止したりするなどの動作を行うことができ、制御機構２０の随時携帯を実現する。
【００３９】
なお、脚マッサージ機構１０は、上肢の腕のマッサージに用いることもでき、このとき、ケーシングを肩または肘の関節の箇所に着用することができるが、これに限定されない。
【００４０】
図２を参照し、さらに、脚エアバッグ構造は、脚マッサージチャンバーを有し、脚マッサージチャンバーは、脚空気充填放出部材と連通した脚流路チャンバー１０１と、脚流路チャンバー１０１と連通し脚の周囲に巻かれる脚外層チャンバー１０２と、を含む。脚エアバッグ構造は、脚空気充填放出部材に接続されその内側に脚流路チャンバー１０１を有する脚導流シート１１と、脚導流シート１１に接続され脚の周囲に巻かれその内側に脚外層チャンバー１０２を有する脚外層シート１３と、を含み、脚流路シート１１および脚外層シート１３は、内外２枚のエアバッグシートの縁をホットプレスすることによって形成されてもよい。脚空気充填放出部材は、脚流路チャンバー１０１に空気が充填可能であり、脚流路チャンバー１０１に入った空気は脚外層チャンバー１０２にも入り得る。空気が脚外層チャンバー１０２に入ると、脚外層シート１３が膨らみ、脚を押圧し、押圧効果を奏し、脚の疲れを和らげることができる。
【００４１】
図３から図４を参照し、さらに、脚マッサージチャンバーは、脚外層チャンバー１０２と連通し脚外層チャンバー１０２と脚との間に位置する脚内層チャンバー１０３をさらに含む。言い換えれば、脚外層チャンバー１０２に重ねて脚内層チャンバー１０３が配置されている。脚空気充填放出部材は、脚流路チャンバー１０１に空気を充填可能であり、脚流路チャンバー１０１に入った空気は脚外層チャンバー１０２経由で脚内層チャンバー１０３にも入り得る。
【００４２】
脚エアバッグ構造は、脚外層シート１３の内側に設けられ、かつ脚外層シート１３と間隔をあけて設けられた脚内層シート１４（内外２枚のエアバッグシートの縁をホットプレスすることによって形成されている）と、脚外層シート１３および脚内層シート１４を接続するための脚接続部材と、をさらに含み、脚外層シート１３の内側に脚外層チャンバー１０２まで連通した脚外層通し穴１３０が設けられている。脚内層シート１４は、その内側に脚内層チャンバー１０３を有し、かつその外側に脚内層チャンバー１０３まで連通した脚内層通し穴１４０が設けられている。脚接続部材は、脚内層通し穴１４０と脚外層通し穴１３０とを連通するために用いられる。
【００４３】
このようにすると、脚外層シート１３は脚内層シート１４と積層して設けやすく、脚外層シート１３は脚内層シート１４を脚に押し付けることができ、脚内層チャンバー１０３は、空気充填後に内側に膨らみ、脚エアバッグ構造の厚みを増加させ、脚マッサージ構造を脚の周囲により密着させることができるため、脚への押圧効果がよりよくなり、ツボへの押圧がより強くなる。
【００４４】
図２から図４を参照し、好ましくは、脚内層シート１４は、複数設けられかつ脚の周り方向に配置され、脚内層シート１４は、平行四辺形を呈する四辺形部１４１を含み、隣接する２つの四辺形部１４１が軸対称に設けられている。平行四辺形の構造は、ヒトの指でのマッサージ時に両手の親指で押圧する方向を倣うのに用いられ、ユーザにマッサージ感をより本物のように感じさせ、快適さを増加させることができる。本発明の実施例において、脚内層シート１４は、脚の周り方向に等間隔で４つ配置されており、脚外層シート１３は、４つ設けられ、各脚内層シート１４とそれぞれ積層して設けられており、積層された脚内層シート１４の形状と大きさが一致している。このような設計は、加工しやすく、マッサージ効果を向上させ、マッサージの強さを増加させることができる。
【００４５】
図２から図４を参照し、好ましくは、脚内層通し穴１４０の位置が、脚内層シート１４の中心点位置からずれている。脚内層通し穴１４０の位置をずらして設けることにより、脚エアバッグ構造を折り畳んで収納するときに、脚接続部材が常に折り曲げられ空気が漏れたり破損したりすることを防止することができる。好ましくは、脚内層通し穴１４０は、脚内層エアバッグの横方向幅の３分の１の箇所に位置する。一方、偏心設計の脚内層通し穴１４０により、脚外層チャンバー１０２からの空気が脚内層チャンバー１０３に入るときに、先ず脚内層シート１４の偏心位置を膨らませ、脚内層チャンバー１０３に空気が充満したときに、膨らむ位置が平行四辺形の中心点に移動し、すなわち、内層シートの最高点位置に移動が発生する。このようにして、脚内層シート１４の脚へのマッサージ位置にも移動が発生し、ヒトの手の指で揉んで押しマッサージする動作を倣うことができる。このような脚マッサージ機構１０は、押す動作と揉む動作を同時に行うことができ、マッサージが快適で力強く、マッサージモードが豊富に用意でき、ユーザの血液循環を促すことができる。ユーザは、よりよいマッサージ効果を得ることができる。
【００４６】
図２から図３を参照し、さらに、脚マッサージチャンバーは、脚内層チャンバー１０３と連通し脚外層チャンバー１０２と脚との間に位置する突起チャンバー１０４をさらに有し、脚内層シート１４は、四辺形部１４１の辺側に接続し突起チャンバー１０４を有する突起部１４２をさらに含み、突起チャンバー１０４に空気が充填され突起部１４２を膨らませる。突起部１４２は、ヒトの手の指の形状を模しており、マッサージ効果が本当のヒトの手によるマッサージ効果により近くなるようにする。さらに好ましくは、脚内層通し穴１４０が突起部１４２に位置する。このようにして、脚内層シート１４の膨らむ位置の移動距離がより大きくなり、脚を揉む範囲を大きくし、ユーザがより快適なマッサージ体験を得ることができる。
【００４７】
図１を参照し、さらに、固定機構３０は、柔軟性材料製の膝窩エアバッグ構造と、膝窩エアバッグ構造に接続し膝窩エアバッグ構造に対して空気充填または空気放出を行うための膝窩空気充填放出部材と、を含む。コントローラーが膝窩空気充填放出部材に電気的に接続され、膝窩空気充填放出部材の膝窩エアバッグ構造への空気充填または空気放出を制御するために用いられる。膝窩エアバッグ構造は、制御機構２０とともに膝領域に巻かれる。膝窩エアバッグ構造が柔軟性材料製であるため、膝窩空気充填放出部材が膝窩空気弁３５を介して膝窩エアバッグ構造に空気を充填すると、膝窩エアバッグ構造が膨らみ、膝窩に対して押圧力を生ずることにより、膝窩位置に当接し、固定構造と膝領域の密着効果を増加させ、制御機構２０が落ちるのを防止する。
【００４８】
図５を参照し、さらに、膝窩エアバッグ構造は、密着チャンバーを有し、密着チャンバーは、膝窩空気充填放出部材と連通した膝窩流路チャンバー３０１と、膝窩流路チャンバー３０１と連通した膝窩外層チャンバー３０２と、を含む。膝窩エアバッグ構造は、膝窩空気充填放出部材に接続されその内側に膝窩流路チャンバー３０１を有する膝窩導流シート３１と、膝窩導流シート３１に接続され膝窩の箇所に位置しその内側に膝窩外層チャンバー３０２を有する膝窩外層シート３２と、を含む。膝窩流路シート３１および膝窩外層シート３２は、内外の２枚のエアバッグシートにより、縁をホットプレスして形成することができる膝窩空気充填放出部材は、膝窩流路チャンバー３０１に空気を充填可能であり、膝窩流路チャンバー３０１に入った空気は膝窩外層チャンバー３０２に入り得る。空気が膝窩外層チャンバー３０２に入ると、膝窩外層シート３２が膨らみ、膝窩に当接する。膝窩の箇所は脚に対してくぼんでいるため、膝窩エアバッグ構造は、位置決めの効果を奏し、制御機構２０の位置を固定することができ、膝窩の箇所の筋肉に対してある程度のマッサージの作用を奏することができる。
【００４９】
図５から図６を参照し、好ましくは、密着チャンバーは、膝窩外層チャンバー３０２と連通し膝窩外層チャンバー３０２と膝窩との間に位置する膝窩内層チャンバー３０３と、膝窩内層チャンバー３０３と連通し膝窩内層チャンバー３０３と膝窩との間に位置する膝窩マッサージチャンバー３０４と、をさらに含む。膝窩空気充填放出部材は、膝窩流路チャンバー３０１に空気を充填可能であり、膝窩流路チャンバー３０１に入った空気は膝窩外層チャンバー３０２経由で膝窩内層チャンバー３０３に入り、膝窩マッサージチャンバー３０４にも入り得る。
【００５０】
膝窩エアバッグ構造は、膝窩外層シート３２の内側に設けられかつ膝窩外層シート３２と間隔をあけて設けられた膝窩内層シート３３と、膝窩外層シート３２および膝窩内層シート３３を接続するための膝窩接続部材と、膝窩内層シート３３の内側に設けられかつ膝窩内層シート３３と間隔をあけて設けられた膝窩マッサージシート３４と、膝窩外層シート３２および膝窩内層シート３３を接続するためのマッサージ接続部材と、をさらに含む。膝窩内層シート３３および膝窩マッサージシート３４は、内外の２枚のエアバッグシートにより、縁をホットプレスして形成することができる。膝窩外層シート３２の内側に膝窩外層チャンバー３０２まで連通した膝窩外層通し穴３３０が設けられ、膝窩内層シート３３は、その内側に膝窩内層チャンバー３０３を有する。膝窩内層シート３３の外側に膝窩内層チャンバー３０３まで連通した第１の膝窩内層通し穴が設けられ、かつその内側に膝窩マッサージチャンバー３０４まで連通した第２の膝窩内層通し穴が設けられ、膝窩マッサージシート３４は、その内側に膝窩マッサージチャンバー３０４を有し、かつその外側に膝窩マッサージ通し穴３４０が設けられ、膝窩接続部材は、第１の膝窩内層通し穴と膝窩外層通し穴３３０とを連通するために用いられ、マッサージ接続部材は、第２の膝窩内層通し穴と膝窩マッサージ通し穴３４０とを連通するために用いられる。膝窩空気充填放出部材は、膝窩流路チャンバー３０１を介して膝窩外層チャンバー３０２に空気を充填し、空気は第１の膝窩内層通し穴を介して膝窩内層チャンバー３０３に入り、また、第２の膝窩内層通し穴を介して膝窩マッサージチャンバー３０４に入り、膝窩マッサージシート３４を膨らませる。好ましくは、第１の膝窩内層通し穴と第２の膝窩内層通し穴とは、ずらして設け、膝窩内層シート３３を十分に膨らませ、膝窩マッサージシート３４の高さを高くするようにする。
【００５１】
このように、膝窩外層シート３２、膝窩内層シート３３および膝窩マッサージシート３４は、いずれも積層して設けられ、膝窩内層シート３３は、膝窩マッサージシートの高さを高くし、膝窩エアバッグ構造と膝窩の箇所をより密着させる。膝窩外層シート３２は、膝窩マッサージシート３４を膝窩の箇所に当接することができ、膝窩マッサージチャンバー３０４は、空気を充填すると、内側に膨らみ、膝窩に対して押圧作用を奏することにより、膝窩の箇所のツボをマッサージすることができる。密着チャンバーに空気を充填し、膝窩エアバッグ構造が膝窩をマッサージするとき、この固定機構３０は、必然的にこのケーシングの両端に引張力を加える。このようにして、ケーシングと膝領域の密着がより緊密になり、ケーシングを落とすことを防止することができる。
【００５２】
本発明の実施例において、膝窩外層シートおよび膝窩内層シートはいずれも１つ設けられており、帯状で膝窩の箇所の形状と適合している。シート膝窩マッサージチャンバーに空気を充填すると、膝窩の箇所の窪みの位置によりフィットするように、膝窩マッサージシートは２枚設けられている。
【００５３】
以上は、本発明の好ましい実施例に過ぎず、本発明を制限するためのものではなく、本発明の趣旨および原則の下で行われるいかなる変更、均等の入れ替えおよび改善などは、いずれも本発明の保護範囲内に含まれるべきである。
【符号の説明】
【００５４】
１０  脚マッサージ機構
１０１  脚流路チャンバー
１０２  脚外層チャンバー
１０３  脚内層チャンバー
１０４  突起チャンバー
１１  脚導流シート
１２  脚空気弁
１３  脚外層シート
１３０  脚外層通し穴
１４  脚内層シート
１４０  脚内層通し穴
１４１  四辺形部
１４２  突起部
２０  制御機構
２０１  着用溝
２１  制御ボタン
３０  固定機構
３０１  膝窩流路チャンバー
３０２  膝窩外層チャンバー
３０３  膝窩内層チャンバー
３０４  膝窩マッサージチャンバー
３１  膝窩導流シート
３２  膝窩外層シート
３３  膝窩内層シート
３３０  膝窩外層通し穴
３４  膝窩マッサージシート
３４０  膝窩マッサージ通し穴
３５  膝窩空気弁
【図１】
2020192321.tif 000003
【図２】
2020192321.tif 000004
【図３】
2020192321.tif 000005
【図４】
2020192321.tif 000006
【図５】
2020192321.tif 000007
【図６】
2020192321.tif 000008